【手続補正書】
【提出日】平成30年2月1日(2018.2.1)
【手続補正１】
【補正対象書類名】特許請求の範囲
【補正対象項目名】全文
【補正方法】変更
【補正の内容】
【特許請求の範囲】
【請求項１】
読取装置から出力された、オブジェクト画像が形成されたシートに関する第１の読取画像データを受信する受信手段と、
前記受信手段により受信された前記第１の読取画像データを、当該第１の画像データより解像度が低い第２の画像データに変換する変換手段と、
前記第１の読取画像データの注目領域を前記第２の画像データに基づいて決定する決定手段と、
前記第１の読取画像データの前記決定された注目領域のなかから前記オブジェクト画像を検出する検出手段と、
印刷位置を調整するための調整条件を前記検出手段の検出結果に基づいて生成する生成手段と、を有することを特徴とする画像処理装置。
【請求項２】
前記オブジェクト画像は、第１色の第１のオブジェクト画像と、前記第１色と異なる第２色の第２オブジェクト画像とを含み、
前記決定手段は、前記第２の読取画像データのなかの前記第２オブジェクト画像の位置に基づいて前記注目領域を決定し、
前記検出手段は、前記第１の読取画像データの前記決定された注目領域のなかから前記第１オブジェクト画像を検出し、
前記生成手段は、前記調整条件を、前記検出手段による前記第１オブジェクト画像の検出結果に基づいて生成することを特徴とする請求項１に記載の画像処理装置。
【請求項３】
前記オブジェクト画像は、第１のオブジェクト画像と、当該第１オブジェクト画像と形の異なる第２オブジェクト画像とを含み、
前記決定手段は、前記第２の読取画像データのなかの前記第２オブジェクト画像の位置に基づいて前記注目領域を決定し、
前記検出手段は、前記第１の読取画像データの前記決定された注目領域のなかから前記第１オブジェクト画像を検出し、
前記生成手段は、前記調整条件を、前記検出手段による前記第１オブジェクト画像の検出結果に基づいて生成することを特徴とする請求項１に記載の画像処理装置。
【請求項４】
前記生成手段は、前記第１の読取画像データのなかの前記第１オブジェクト画像を、前記第１の読取画像データの前記決定された注目領域に基づいて検知し、前記調整条件を前記シートのエッジから前記検知された第１オブジェクト画像までの距離に基づいて生成することを特徴とする請求項２又は３に記載の画像形成装置。
【請求項５】
前記第１オブジェクト画像は、前記第２オブジェクト画像とは前記シートの異なる位置にあることを特徴とする請求項２乃至４のいずれか一項に記載の画像処理装置。
【請求項６】
前記決定手段は、前記第２の読取画像データのなかの前記第２のオブジェクトの位置、当該第２のオブジェクトの向き、及び前記オブジェクト画像が形成されたシートのサイズに基づいて、前記注目領域を決定することを特徴とする請求項２乃至５のいずれか一項に記載の画像処理装置。
【請求項７】
シートに画像を印刷する印刷手段と、
前記印刷手段によってオブジェクト画像が印刷されたシートを読み取る読み取り手段と、
前記読み取り手段の読取結果に対応する第１の読取画像データを、当該第１の読取画像データより解像度が低い第２の読取画像データに変換する変換手段と、
前記第１の読取画像データの注目領域を、前記第２の読取画像データに基づいて決定する決定手段と、
前記第１の読取画像データの前記決定された注目領域のなかから前記オブジェクト画像を検出する検出手段と、
前記印刷手段の印刷位置を、前記検出手段の検出結果に基づいて制御する制御手段と、を有することを特徴とする印刷装置。
【請求項８】
前記オブジェクト画像は、第１色の第１オブジェクト画像と、前記第１色と異なる第２色の第２オブジェクト画像とを含み、
前記決定手段は、前記第２の読取画像データのなかの前記第２オブジェクト画像の位置に基づいて前記注目領域を決定し、
前記検出手段は、前記第１の読取画像データの前記決定された注目領域のなかから前記第１オブジェクト画像を検出し、
前記制御手段は、前記印刷位置を、前記検出手段による前記第１オブジェクト画像の検出結果に基づいて制御することを特徴とする請求項７に記載の画像形成装置。
【請求項９】
前記オブジェクト画像は、第１オブジェクト画像と、当該第１オブジェクト画像と形が異なる第２オブジェクト画像とを含み、
前記決定手段は、前記第２の読取画像データのなかの前記第２オブジェクト画像の位置に基づいて前記注目領域を決定し、
前記検出手段は、前記第１の読取画像データの前記決定された注目領域のなかから前記第１オブジェクト画像を検出し、
前記制御手段は、前記印刷位置を、前記検出手段による前記第１オブジェクト画像の検出結果に基づいて制御することを特徴とする請求項７に記載の画像形成装置。
【請求項１０】
前記制御手段は、前記第１の読取画像データのなかの前記第１オブジェクト画像を、前記第１の読取画像データの前記決定された注目領域に基づいて検知し、前記印刷位置を前記シートのエッジから前記検知された第１オブジェクト画像までの距離に基づいて制御することを特徴とする請求項８又は９に記載の画像形成装置。
【請求項１１】
前記印刷位置を調整すべきシートの種類を選択する選択手段を更に有し
前記印刷手段は、前記選択手段によって選択された種類のシートに前記オブジェクト画像を印刷することを特徴とする請求項７乃至１０のいずれか一項に記載の印刷装置。
【請求項１２】
読取装置から出力された、オブジェクト画像が形成されたシートに関する第１の読取画像データを受信する受信工程と、
前記受信された前記第１の読取画像データを、当該第１の読取画像データより解像度が低い第２の読取画像データに変換する変換工程と、
前記第１の読取画像データの注目領域を前記第２の読取画像データに基づいて決定する決定工程と、
前記第１の読取画像データの前記決定された注目領域のなかから前記オブジェクト画像を検出する検出工程と、
印刷位置を調整するための調整条件を、前記第１の読取画像データのなかの前記オブジェクト画像の検出結果に基づいて生成する生成工程と、を有することを特徴とする画像処理装置の制御方法。
【請求項１３】
シートの画像を読み取る読み取り手段と、シートに画像を印刷する印刷手段と、を有する印刷装置の制御方法であって、
オブジェクト画像をシートに印刷する印刷工程と、
前記オブジェクト画像が印刷されたシートを読み取って第１の読取画像データを生成する生成工程と、
前記第１の読取画像データを、当該第１の読取画像データより解像度が低い第２の読取画像データに変換する変換工程と、
前記第１の読取画像データの注目領域を、前記第２の読取画像データに基づいて決定する決定工程と、
前記第１の読取画像データの前記決定された注目領域のなかから前記オブジェクト画像を検出する検出工程と、
前記印刷手段の印刷位置を、前記第１の読取画像データのなかの前記オブジェクト画像の検出結果に基づいて補正する補正工程と、を有することを特徴とする印刷装置の制御方法。
【請求項１４】
読取装置から出力された、オブジェクト画像が形成されたシートに関する第１の読取画像データを受信する受信工程と、
前記受信された前記第１の読取画像データを、当該第１の読取画像データより解像度が低い第２の読取画像データに変換する変換工程と、
前記第１の読取画像データの注目領域を前記第２の読取画像データに基づいて決定する決定工程と、
前記第１の読取画像データの前記決定された注目領域のなかから前記オブジェクト画像を検出する検出工程と、
印刷位置を調整するための調整条件を、前記第１の読取画像データのなかの前記オブジェクト画像の検出結果に基づいて生成する生成工程と、を有することを特徴とする画像処理装置の制御方法を、コンピュータに実行させるためのプログラム。
【請求項１５】
シートの画像を読み取る読み取り手段と、シートに画像を印刷する印刷手段と、を有する印刷装置の制御方法であって、
オブジェクト画像をシートに印刷する印刷工程と、
前記オブジェクト画像が印刷されたシートを読み取って第１の読取画像データを生成する生成工程と、
前記第１の読取画像データを、当該第１の読取画像データより解像度が低い第２の読取画像データに変換する変換工程と、
前記第１の読取画像データの注目領域を、前記第２の読取画像データに基づいて決定する決定工程と、
前記第１の読取画像データの前記決定された注目領域のなかから前記オブジェクト画像を検出する検出工程と、
前記印刷手段の印刷位置を、前記第１の読取画像データのなかの前記オブジェクト画像の検出結果に基づいて補正する補正工程と、を有することを特徴とする印刷装置の制御方法を、コンピュータに実行させるためのプログラム。
【手続補正２】
【補正対象書類名】明細書
【補正対象項目名】発明の名称
【補正方法】変更
【補正の内容】
【発明の名称】画像処理装置、印刷装置、画像処理装置の制御方法、印刷装置の制御方法、及びプログラム
【手続補正３】
【補正対象書類名】明細書
【補正対象項目名】０００８
【補正方法】変更
【補正の内容】
【０００８】
上記目的を達成するために本発明の一態様に係る画像処理装置は、読取装置から出力された、オブジェクト画像が形成されたシートに関する第１の読取画像データを受信する受信手段と、前記受信手段により受信された前記第１の読取画像データを、当該第１の画像データより解像度が低い第２の画像データに変換する変換手段と、前記第１の読取画像データの注目領域を前記第２の画像データに基づいて決定する決定手段と、前記第１の読取画像データの前記決定された注目領域のなかから前記オブジェクト画像を検出する検出手段と、印刷位置を調整するための調整条件を前記検出手段の検出結果に基づいて生成する生成手段と、を有することを特徴とする。